(57)【特許請求の範囲】
【請求項１】
パイプと、パイプに巻き付けるストリップとを備え、上記ストリップは、ローラ用反物を切断して形成するとともに、このストリップは、縦糸と横糸を平織りにしたベース生地にパイル糸を編み込む構成にした塗装用ローラであって、上記ストリップの切断面と底面とを熱で溶融し、上記パイル糸のほつれを防止するほつれ防止部を形成し、このほつれ防止部を構成する切断面と底面とを直角に維持したことを特徴とした塗装用ローラ。
【請求項２】
ローラ用反物を搬送する第１搬送手段と、第２搬送手段と、上記第１搬送手段および第２搬送手段の間に設けたカッターと、このカッターの下流に設けたヒーターとを備え、上記第１搬送手段から第２搬送手段に向けてローラ用反物を搬送し、第１搬送手段から搬送されたローラ用反物をカッターで切断してストリップを形成し、このストリップの切断面をヒーターで加熱して上記ストリップの切断面にほつれ防止部を形成し、このストリップをパイプに巻き付けることを特徴とした塗装用ローラの製造方法。
【請求項３】
ヒーターは、基部と凸部とを備え、上記凸部の先端に尖状部を形成するとともに、上記基部でストリップの底面を加熱し、上記凸部でストリップの切断面を加熱する構成にした請求項２記載の塗装用ローラの製造方法。
【請求項４】
第１搬送手段と第２搬送手段は、それぞれ一対の搬送ベルトで構成するとともに、上記搬送ベルトの表面に凹凸を形成し、各対の搬送ベルトの間でローラ用反物を挟む構成にした請求項２または３記載の塗装用ローラの製造方法。
【発明の詳細な説明】
【０００１】
【発明の属する技術分野】
この発明は、パイル糸のほつれを防止した塗装用ローラと、その製造方法に関する。
【０００２】
【従来の技術】
図６〜９は、従来の塗装用ローラの形成方法を示している。すなわち、図６に示したように、パイプ１にローラ用のストリップ２を螺旋状に巻き付けて、ロールを形成する。上記ローラ用ストリップ２は、図７に示すように、幅の広いローラ用反物３をカッター４で長さ方向に平行に切り、幅の狭い複数本のストリップ２とする。
上記ローラ用反物３は、ベースとなる生地に、パイル糸を織り込んで形成している。図８に示したのは、上記ローラ用反物３のベース生地７を示したものであり、このベース生地７は、縦糸５と横糸６とを交互に平織りにしている。
【０００３】
図９が、上記ベース生地７にローラの毛先となるパイル糸８を織り込んだ状態を表したものである。このようにパイル糸８をベース生地７に織り込むことによって、パイル糸８がベース生地７から抜けたりしないようにしている。なお、上記ベース生地７の縦糸５と横糸６とは、熱可塑性の樹脂製の糸を使用している。
【０００４】
上記のようなローラ用反物３を切断して形成したストリップ２をパイプ１に螺旋状に巻き付けるが、これを巻き付けるとき、ストリップ２とストリップ２との間を接着剤などで接着する。上記ストリップ２とストリップ２とを接着したら、接着した境目を目立たないようにするために、巻き付けたストリップ２の表面全体をブラッシングする。また、このようにブラッシングすることによって、パイル糸８をローラ表面全体に、均一に整えることができる。
上記のようにブラッシングしたら、上記ストリップ２を巻き付けたパイプ１に図示しないハンドルを挿入し、これを塗装用ローラとして用いる。
【０００５】
【発明が解決しようとする課題】
上記のような塗装ローラにおいて、ローラ用反物３をストリップ２に切断すると、その切断面から、パイル糸８がほつれてきてしまう。その理由を以下に説明する。すなわち、図９のローラ反物のＡ−Ａ線でこれを切断しストリップ２にすると、パイル糸８を支持していた縦糸５がなくなってしまうので、パイル糸８は図の左方向に対してフリーな状態になる。このようにパイル糸８がフリーになると、これが図の左側からほつれてきてしまう。
【０００６】
上記のようにパイル糸８がほつれてしまうと、上記ストリップ２を螺旋状に巻いたとき、ストリップ２とストリップ２との間のパイル糸８の密度が小さくなる。このようにパイル糸８の密度が小さくなってしまうと、塗装にムラができてしまうという問題がある。さらに、上記パイル糸８の密度が少なくなると、ストリップ２とストリップ２とのつなぎ目が目立ってしまう。このようにつなぎ目が目立つと、商品価値が低下してしまうという問題もある。
【０００７】
さらに、上記ストリップ２を螺旋状に巻いた後、これをブラッシングするが、このブラッシングの際にも、ストリップ２の切断面のパイル糸８がほつれてきてしまう。なぜなら、ブラッシングによって、パイル糸８に強い引っ張り方向の力が作用するからである。したがって、ブラッシングする前にはほつれなくても、このブラッシングによってほつれてしまうパイル糸８がある。
【０００８】
また、ほつれる可能性のある切断面のパイル糸８が、ブラッシング時にすべて抜けてしまえば、それほど問題はないが、上記ブラッシング時に抜けなかったパイル糸８が塗装中にほつれてきてしまうことがある。塗装中にほつれてきてしまうと、上記ブラッシング時にほつれたときよりも大きな問題になる。なぜなら、せっかく塗装した塗装面に、ほつれたパイル糸８が付着してしまうからである。
【０００９】
このように、塗装中にパイル糸８がほつれるのは、特に気温が高くなる夏が多い。すなわち、気温が高くなると、塗料が揮発しやすく、この揮発にともなって、塗料の乾燥速度が速くなる。乾燥が早くなると、ローラに浸透した塗料が、塗装している間に硬くなり、その粘着性が高くなる。このように塗料の粘着性が高い状態でローラを転がすと、塗料によってパイル糸８が引っ張られ、これがほつれてしまう。そして、ほつれたパイル糸８は塗装面に付着してしまう。
【００１０】
上記パイル糸８のほつれを防止するために、ローラ用反物３を加熱しながら切断するということが考えられる。加熱しながら切断することによって、樹脂製のベース生地７が熱で溶融する。すなわち、ストリップ２の切断面のベース生地７が熱で溶融し、この溶融によってほつれ止めをすることができる。この加熱による切断の具体的手段として、例えば、レーザーカットによって切断したり、超音波カッターや熱刃によってカットしたりすることが考えられる。
しかし、上記レーザーカットや超音波によるカットは、非常にコストが高い。このようなコストの高い方法を使用すると、ローラ全体のコストが高くなってしまうという問題があった。
【００１１】
また、上記レーザーカットや熱刃によるカットは、カーテンやリボンなどといった比較的薄い生地を切断するのに用いられることが多い。しかし、ローラ用反物３は、上記カーテンやリボンに比べるとその厚さが厚い。したがって、上記ローラ用反物３を切断しようとすると、レーザーカットの場合は、レーザーの照射時間を長くしなければならないし、熱刃によるカットの場合には、熱刃の温度を上げなければならない。
【００１２】
上記レーザーカットの照射時間を長くすれば、ストリップ２の切断面が焦げてしまうという問題があった。また、熱刃を高温にすると、熱刃がその高温に耐えきれないという問題があった。
いずれにしても、上記レーザーカットや超音波、あるいは熱刃によるカットは、現実的に採用できる方法ではなかった。
【００１３】
この発明の目的は、ローラ用反物からストリップを切断したとき、切断面からパイル糸がほつれることがなく、しかも低コストな塗装用ローラと、この塗装用ローラの製造方法を提供することである。
【００１４】
【課題を解決するための手段】
第１の発明は、パイプと、パイプに巻き付けるストリップとを備え、上記ストリップは、ローラ用反物を切断して形成するとともに、このストリップは、縦糸と横糸を平織りにしたベース生地にパイル糸を編み込む構成にした塗装用ローラであって、上記ストリップの切断面と底面とを熱で溶融し、上記パイル糸のほつれを防止するほつれ防止部を形成し、このほつれ防止部を構成する切断面と底面とを直角に維持したことを特徴とする
【００１５】
第２の発明は、ローラ用反物を搬送する第１搬送手段と、第２搬送手段と、上記第１搬送手段および第２搬送手段の間に設けたカッターと、このカッターの下流に設けたヒーターとを備え、上記第１搬送手段から第２搬送手段に向けてローラ用反物を搬送し、第１搬送手段から搬送されたローラ用反物をカッターで切断してストリップを形成し、このストリップの切断面をヒーターで加熱して上記ストリップの切断面にほつれ防止部を形成し、このストリップをパイプに巻き付けることを特徴とした。
【００１６】
第３の発明は、ヒーターに、基部と凸部とを備え、上記凸部の先端に尖状部を形成するとともに、上記基部でストリップの底面を加熱し、上記凸部でストリップの切断面を加熱する構成にしたことを特徴とする。
第４の発明は、第１搬送手段と第２搬送手段に、それぞれ一対の搬送ベルトで構成するとともに、上記搬送ベルトの表面に凹凸を形成し、各対の搬送ベルトの間でローラ用反物を挟む構成にしたことを特徴とする。
【００１７】
【発明の実施の形態】
図１〜５は、この発明の一実施形態を示したものである。この実施形態の説明において、従来例と同じ構成要素には、従来例と同じ符号を用いる。
図１は、ローラ用反物３を切断してストリップ２にするとともに、このストリップ２の切断面を熱で溶融するための塗装用ローラの製造装置Ｄの側面図である。図２は、図１で示した塗装用ローラの製造装置Ｄの概略斜視図である。
【００１８】
図１、２に示したように、リール９に巻かれたローラ用反物３を、ガイドローラｇを介して、第１搬送手段である環状の第１搬送ベルト１０、１１の間に導く。
上記第１搬送ベルト１０は、ガイドローラ１２ａ、１２ｂで支持するとともに、このガイドローラ１２ａ、１２ｂの外側を回転するようにしている。同様に、第１搬送ベルト１１を、ガイドローラ１３ａ、１３ｂで支持し、上記ガイドローラ１３ｂを図示しないモータで回転するようにしている。したがって、第１搬送ベルト１１は、矢印Ｘ方向に回転する。
【００１９】
また、上記第１搬送ベルト１０、１１の上流側には、蛇行センサ１４を備えている。この蛇行センサ１４は、上記第１搬送ベルト１０、１１に導かれる直前の、ローラ用反物３の側面の位置を検出するものである。したがって、上記ローラ用反物３の側面の位置がずれていると、ローラ用反物３が蛇行していると判断する。この蛇行センサ１４で、ローラ用反物３の蛇行が確認されると、上記第１搬送ベルト１０、１１が、ローラ用反物３の幅方向に移動して、このローラ用反物３の蛇行を修正する。
【００２０】
上記のように蛇行を修正したローラ用反物３は、第１搬送手段から第２搬送手段である第２搬送ベルト１５、１６の間に導かれる。上記第２搬送ベルト１５は、ガイドローラ１７ａ、１７ｂによって支持され、第２搬送用ベルト１６は、ガイドローラ１８ａ、１８ｂによって支持されるようにしている。
また、上記ガイドローラ１８ｂを図示しないモータで回転するようにしている。したがって、第２搬送ベルト１６は、矢印Ｙ方向に回転する。
【００２１】
上記のようにして、リール９に巻いたローラ用反物３を第１搬送ベルト１０、１１の間を介して、第２搬送ベルト１５、１６に導く、このように導いたら、第１搬送ベルト１０を図の下方向に移動させ、上記第１搬送ベルト１０と第１搬送ベルト１１とでローラ用反物３を挟むようにしている。同様に、第２搬送ベルト１５を第２搬送ベルト１６方向に移動させ、上記ローラ用反物３を挟むようにしている。
【００２２】
このように、ローラ用反物３を第１搬送ベルト１０、１１および第２搬送ベルト１５、１６で挟むように支持すると、第１搬送ベルト１１および第２搬送ベルト１６の回転にともなって、ローラ用反物３が図右方向に移動する。さらに、このローラ用反物３を挟んでいる第１搬送ベルト１０と第２搬送ベルト１５が、上記ローラ用反物３の移動にともなって回転する。
また、上記第１、２搬送ベルト１０、１１、１５、１６の表面には、凹凸を設け、これらの間に挟んだローラ用反物３がすべらないようにしている。このように、第１搬送ベルト１０、１１および第２搬送ベルト１５、１６でローラ用反物３をすべらないように支持しているので、このローラ用反物３はピンと張られることになる。
【００２３】
また、上記第１搬送ベルト１０、１１と第２搬送ベルト１５、１６との間には、ローラ用反物３を切断してストリップ２に形成するカッター１９と、切断したストリップ２の切断面を加熱するヒーター２０とを備えている。そして、上記ピンと張ったローラ用反物３を上記カッター１９で切断するようにしている。
【００２４】
また、図１のカッター１９の下方に、予備のカッター２１を備えている。そして、上記ローラ用反物３の種類などに応じて下方の予備のカッター２１を上方に押し上げて、カッターの交換ができるようにしている。なぜなら、上記ローラ用反物３は、その種類によって、厚さや幅などが異なり、さらに、切断するストリップ２の幅なども異なるので、これらローラ用反物３の種類やストリップ２の幅などに応じて、カッターを交換しなければならないからである。
このように予備のカッター７をカッター１９の下方に備えることによって、容易にカッターを交換できる。
【００２５】
さらに、上記ヒーター２０も上下動可能にしている。すなわち、上記ヒーター２０を使用しないときには、図１の実線の位置に下げているが、使用時には、一点鎖線の位置まで上げる。なぜなら、ヒーター２０は非常に高温なので、これを使用していないときにも上げていると、この熱で、ローラやカッター１９の寿命が短くなってしまうからである。
【００２６】
また、上記カッター１９とヒーター２０との間には、遮熱板２３を設けている。この遮熱板２３は上記ヒーター２０の上下動にあわせて上下に移動するようにしている。すなわち、ヒーター２０が上がっているときには、上記遮断板１８は下がるようにし、ヒーター２０が下がったときには、遮断板１８が上がって、ヒーター２０の熱からカッター１９を守るようにしている。
【００２７】
上記のような構成において、ローラ用反物３をピンと張った状態で、第１搬送ベルト１０、１１から第２搬送ベルト１５、１６に搬送し、カッター１９を上方に上げる。このようにカッター１９を上方に上げると、このカッター１９が上記ローラ用反物３を切断し、ストリップ２とする。そして、ストリップ２の切断面をヒーター２０で加熱するとともに、このストリップ２を上記第２搬送ベルト１５、１６から排出する。
【００２８】
ここで、上記ストリップ２が切断されて、加熱されるまでの様子を詳しく説明する。
図３は、カッター１９とヒーター２０との拡大斜視図である。この図３では、カッター１９でローラ用反物３を切断するとともに、この切断面をヒーター２０で加熱している様子を示している。図４は、上記ヒーター２０の拡大断面図である。
【００２９】
図示したように、ヒーター２０は、基部２４と凸部２５とからなり、この凸部２５の先端に尖状部２６を形成している。また、上記凸部２５の側面２５ａは、基部２４に対してほぼ垂直になるようにしている。さらに、上記凸部２５の側面２５ａの高さは、ローラ用反物３のベース生地７の厚さとほぼ同じにしている。
【００３０】
図４に示したように、上記ヒーター２０の凸部２５を、上記カッター１９の刃の延長線上に設けるようにしている。そして、上記カッター１９でローラ用反物３を切断してこれをストリップ２とするとともに、このストリップ２の切断面をヒーター２０で加熱する。
すなわち、ローラ用反物３を上記カッター１９で切断してストリップ２にすると、このストリップ２が、上記凸部２５の側面２５ａに沿って移動する。
【００３１】
このように、切断面が側面２５ａに沿って移動すると、この切断面がヒーター２０の熱によって溶融する。このとき、ヒーター２０に基部２４と凸部２５を設けているので、ストリップ２はＬ字型に溶融される。すなわち、ストリップ２は、側面２５ａに接触する切断面と、基部２４に接触する底面２ａとが溶融される。
【００３２】
上記のように、切断面を加熱することによって、図５の左端の縦糸、横糸が溶融し、ほつれ防止部２２が形成される。このようにほつれ防止部２２が形成されることによって、左端のパイル糸８がほつれてしまうことがない。しかも、上記ほつれ防止部２２は、ベース生地７を溶融して形成しているので、このほつれ防止部２２は、ベース生地７と一体となっている。したがって、ベース生地７からほつれ防止部２２が容易にとれてしまうことがない。ほつれ防止部２２が容易にとれることがないので、ブラッシング時や塗装時にパイル糸８が強く引っ張られても、これがほつれてしまうことがない。
【００３３】
また、ヒーター２０の基部２４によってストリップ２の底面２ａを加熱することによって、この底面２ａの縦糸５と横糸６とを溶融する。このように底面２ａの縦糸５と横糸６とが溶融すると、これら縦糸５と横糸６との中に編み込まれたパイル糸８の編み込み部分が縦糸５と横糸６に溶着する。したがって、パイル糸８をより一層強固に保持することができる。
【００３４】
さらに、上記凸部２５を基部２４に対して垂直にしているので、この凸部２５によって溶融されたストリップ２の切断面も垂直にすることができる。このように、切断面を垂直にすることによって、このストリップ２を螺旋に巻いてこれを接着したとき、切断面同士がぴったりと接触するので、より強固な接着にすることができる。
しかも、上記のように切断面同士がぴったりと接触することによって、つなぎ目が目立たなくなる。したがって、つなぎ目が目立って商品価値が低下するのを防止することができる。
【００３５】
また、カッター１９が摩耗したときには、上記ストリップ２の切断面がぼさぼさになってしまう。このように切断面ががたがたになってしまうと、切断面同士の接着が難しく、しかもつなぎ目が目立ってしまう。したがって、上記のようにカッター１９が摩耗したときに、溶融によって直角に切断面を仕上げることの効果が特に発揮される。
さらに、上記ストリップ２の切断面と底面２ａをＬ字型に溶融することによって、ストリップ２の側面と下面とが直角になり、ストリップ２をパイプ１に巻き付けたときに、その仕上がりをより一層きれいにすることができる。
【００３６】
また、上記凸部２５には、尖状部２６を形成しているので、この尖状部２６が切断面と切断面との間に容易に入り込むことができる。このように尖状部２６が切断面と切断面との間に入り込むことによって、この切断面を上記凸部２５の側面２５ａに誘導することができる。したがって、切断面は上記凸部２５からずれることなく、確実に側面２５ａに接触し、この側面２５ａにほつれ防止部２２を形成することができる。
【００３７】
また、この実施形態において、第１搬送ベルト１０、１１で、ローラ用反物３を挟むようにして支持しているので、このローラ用反物３が搬送している間にずれてしまうことがない。しかも、この第１搬送用ベルト１０、１１の表面には凹凸を形成しているので、より一層しっかりとローラ用反物３を支持することができる。
【００３８】
同様に、第２搬送ベルト１５、１６の表面にも凹凸を形成し、これらで挟むようにして切断されたローラ用反物３、すなわちストリップ２を支持しているので、これがずれてしまうことがない。
しかも、上記第１搬送ベルト１０、１１と、第２搬送ベルト１５、１６とで、上記ローラ用反物３をピンと張りながら支持しているので、カッター１９での切断位置がずれたりしない。
【００３９】
さらに、この実施形態では、カッター１９でローラ用反物３をカッター１９で切断した後に、この切断面を溶融するようにしている。したがって、カッターをレーザーや熱刃に換える必要がない。すなわち、従来のカッターをそのまま用いることができる。したがって、カッターを換えるようなコストを必要としない。
しかも、ヒーターは上記レーザーや熱刃に比べると、非常に安価であり、このヒーターを採用することにより、低コストでストリップ２のほつれ止めを実現することができる。
【００４０】
また、この実施形態において、ヒーター２０を用いて加熱するようにしているので、ローラ用反物３の厚さに応じてヒーター２０の熱を容易に換えることができる。すなわち、厚さが薄い場合には温度を低く設定することによって、必要以上にストリップ２が溶融するのを防止することができる。また、ローラ用反物３の厚さが熱い場合には、このヒーター２０の温度を高く設定することによって、確実にストリップ２の切断面を溶融することができる。
【００４１】
なお、上記実施形態では、ベース生地７にパイル糸８を編み込み、これをそのままロール用反物３として用いているが、これ以外にも、ベース生地７にパイル糸８を編み込んだ後、上記ベース生地７の裏側に樹脂を含浸させたものを用いることもできる。このようにベース生地７の裏側に樹脂を含浸させることによって、ストリップ２全体のパイル糸８の防止を図ることができる。さらに、上記樹脂の含浸によって、ストリップ２の強度を維持することができる。このようにストリップ２の強度が維持されることによって、これをパイプ１に巻き付けるときに巻き付けやすい。
【００４２】
さらに、上記のようにベース生地７の裏側に樹脂を含浸させたロール用反物３を、この実施形態で用いた塗装用ローラの製造装置Ｄで切断し、ストリップ２とするとともに、この切断面をヒーター２０で加熱すると、より一層パイル糸８のほつれを防止することができる。それは以下の理由からである。
すなわち、上記裏側に樹脂を含浸させたローラ用反物をストリップ２にして、これをヒーター２０で、Ｌ字型に加熱すると、この切断面にはほつれ防止部が形成さる。しかも、一部の底面２ａでは、縦糸５と横糸６に加えて、含浸させた樹脂も溶着され、これらによってパイル糸８を強固に保持することができる。したがって、より一層パイル糸８のほつれを防止することができるようになる。
【００４３】
【発明の効果】
第１の発明によれば、ストリップの両側面を熱で溶融し、ほつれ防止部を形成することとしたので、パイル糸がほつれてしまうことがない。パイル糸がほつれたりしないので、これが塗装面に付着してしまうこともなくなる。また、上記ほつれ防止部をベース生地の溶融によって形成することとしたので、ほつれ防止部とベース生地とは一体となっており、このほつれ防止部がベース生地から容易にとれてしまうことがない。
ストリップの底面を加熱することによって、この底面におけるベース生地を構成する縦糸と横糸とが溶融される。このように底面の縦糸と横糸とが溶融されれば、これら縦糸と横糸との中に編み込まれたパイル糸の編み込み部分が縦糸と横糸に溶着するので、パイル糸はより一層強固に保持される。
さらに、ほつれ防止部における切断面と底面とを直角に維持しているので、ストリップをパイプに巻き付けたとき、その巻き付け面の仕上がりをきれいにできる。

【００４４】
第２の発明によれば、カッターの下流にストリップの切断面を溶融するヒーターを設けることとしたので、ストリップの端部がほつれてしまうことがない。しかも、上記ほつれ止めのためにカッターを高価なものに換える必要がない。したがって、上記ヒーターを設けるだけで、低コストでストリップのほつれ止めをすることができる。
【００４５】
第３の発明によれば、ヒーターに基部と凸部とを備え、上記凸部の先端に尖状部を形成することとしたので、この尖状部でストリップの切断面を上記凸部に誘導することができる。さらに、上記基部によって、ストリップの底面を溶着することができる。したがって、より一層ストリップの切断面のほつれを防止することができる。
【００４６】
第４の発明は、第１搬送手段と第２搬送手段に、それぞれ一対の搬送ベルトを備えるとともに、上記搬送ベルトの表面には凹凸を形成し、各搬送ベルトの間にローラ用反物を挟む構成にしたので、上記ローラ用反物をしっかりと保持することができ、ローラ用反物がずれてしまうのを防止することができる。
【図面の簡単な説明】
【図１】ストリップの切断面を熱で溶融するための塗装用ローラの製造装置Ｄの側面図である。
【図２】図１で示した塗装用ローラの製造装置Ｄの概略の斜視図である
【図３】カッターとヒーターとの拡大斜視図である。
【図４】ヒーターの拡大断面図である。
【図５】熱で溶融した後のストリップの拡大断面図である。
【図６】従来の塗装用ローラの形成するときの斜視図である。
【図７】従来のローラ用反物を切断してストリップにするときの斜視図である。
【図８】ストリップのベース生地の拡大図である。
【図９】ベース生地にパイル糸を編み込んだときの拡大図である。
【符号の説明】
１    パイプ
２    ストリップ
２ａ  底面
３    ローラ用反物
４    カッター
５    縦糸
６    横糸
７    ベース生地
８    パイル糸
１０    第１搬送ベルト
１１    第１搬送ベルト
１５    第２搬送ベルト
１６    第２搬送ベルト
１９    カッター
２０    ヒーター
２２    ほつれ防止部
２３    基部
２４    凸部
２５    尖状部
Ｄ    塗装用ローラの製造装置
【図１】
0004794079.tif 000002
【図２】
0004794079.tif 000003
【図３】
0004794079.tif 000004
【図４】
0004794079.tif 000005
【図５】
0004794079.tif 000006
【図６】
0004794079.tif 000007
【図７】
0004794079.tif 000008
【図８】
0004794079.tif 000009
【図９】
0004794079.tif 000010